(57)【特許請求の範囲】
【請求項１】
複数本の大型のペットボトル、またはこれより小さい小型の複数本のペットボトルのいずれかを用意し、これらいずれかのペットボトルを略矩形状に形成されたトレイ上面に、互いに側面同士を接触させるように縦横複数列に立て並べ、前記小型のペットボトルを立て並べる場合は、前記大型のペットボトルを立て並べる場合に比べて縦横に多い本数を並べることができ、この立て並べられたペットボトルの頂部に他のトレイを載置して、さらにペットボトルを立て並べることができるように形成したペットボトルのディスプレイ用トレイであって、
前記トレイ上面は、大型のペットボトルと小型のペットボトルとの２種類のペットボトルを縦横に複数列立て並べることができる割合で縦横の寸法が設定されているとともに、トレイ上面の全範囲が略平坦に形成されており、さらに、その周囲にペットボトルの移動を規制する背の低い側壁が立設されており、
一方、前記大型のペットボトルまたは前記小型のペットボトルの頂部が当接されるトレイ下面には、前記大型のペットボトルの頂部が嵌合される環状筒部と、前記小型のペットボトルの頂部が嵌合される環状筒部とが、それぞれ対応する所定位置に形成されており、
さらにトレイ下面には、下向き鍔が立設されており、
前記２種類の環状筒部は、略格子状に配置された補強リブのいずれかの部分に接続され、かつこれらの環状筒部は、前記下向き鍔と補強リブにより接続されない状態で配置されていることを特徴とするペットボトルのディスプレイ用トレイ。
【請求項２】
前記トレイ上面の短辺側の一対の側壁には、前記大型のペットボトルが並べられた場合の位置規制を行なう突起が、所定間隔離間して互いに対向するように形成されていることを特徴とする請求項１に記載のペットボトルのディスプレイ用トレイ。
【請求項３】
前記格子状に形成された補強リブの交点は、中央に丸い隙間を介在させてロータリー状に形成されていることを特徴とする請求項１に記載のペットボトルのディスプレイ用トレイ。
【請求項４】
前記環状筒部は、前記ペットボトルの頂部が差し込まれる開口端面がテーパ状に拡開して形成されていることを特徴とする請求項１に記載のペットボトルのディスプレイ用トレイ。
【請求項５】
前記環状筒部の内方には、寄せリブが設けられており、この寄せリブが形成されることにより、前記ペットボトルの頂部が位置決めされることを特徴とする請求項１または４に記載のペットボトルのディスプレイ用トレイ。
【発明の詳細な説明】
【０００１】
【発明の属する技術分野】
本発明は、飲料水などが充填されたペットボトルを縦横に複数本並べて収容するとともに、これらを多段に積み重ねてトレイに載せたまま陳列状態にすることができるディスプレイ用トレイに関し、詳しくは、大きさの異なる２種類のペットボトルを兼用して収容することが可能なペットボトルのディスプレイ用トレイに関する。
【０００２】
【従来の技術】
一般に、お茶、ジュース、飲料水、などが充填されたいわゆるペットボトルは、内容量の違いにより、０．３５リットル、０．９リットル、１．５リットル、２リットルなどの大きさが形成されており、また、これらのペットボトルとしては、円筒形、角筒状などの種類がある。
【０００３】
一方、このようにペットボトルに充填された飲料は、通常、ダンボール箱に詰められた状態で出荷されているが、量販店などの店頭に置かれる場合は、そのままの状態では、購買者が内部を確認することが困難であることから、合成樹脂製のディスプレイ用トレイに詰め替えられて陳列される場合がある。
このようなトレイは、上面にペットボトルの底面が、下面にペットボトルの頂部(口部)がそれぞれ嵌合可能であることから、ペットボトルを多段に積載することが可能にされている。
【０００４】
例えば、図６に示したように、特開２０００−１６８７８０号公報などに開示されたディスプレイ用トレイ１は、一種類のペットボトルに限らず、大きさや形状の異なる２種類のペットボトルを収容することが可能にされている。このトレイ１の下面には、大小異なる大きさのペットボトルの頂部を挿入するための環状筒部１６が同一面に複数個散在して設けられている。そして、これらの環状筒部１６同士は、多数の補強リブ１９、２０で連結されるとともに、これらの補強リブ１９，２０の端部は、周囲の側壁９まで延出され、これらの側壁９と一体化されている。
【０００５】
このようなディスプレイ用トレイ１の側壁９の表面には、製造メーカー名、商品名などの情報が印刷されることにより、外方に必要な情報が表示されている。
【０００６】
【発明が解決しようとする課題】
ところで、このような従来のディスプレイ用トレイ１において、上記したように補強リブ１９，２０が周囲の側壁９にまで連続して形成されていると、補強リブ１９，２０と側壁９との接続部分に、射出成形後の固形時に収縮が起こり易い。ここに大きな収縮が発生すると、側壁９の表面に歪みが発生してしまう。
【０００７】
ここに、この種のディスプレイ用トレイ１は、ペットボトル容器などのリサイクル品から製造されることが多くなっているが、このような歪みが側壁９に発生してしまうと、必要な情報が印刷し難くなるという問題があった。
また、上記公報に記載されたディスプレイ用トレイでなくても、この種のトレイは、金型形状が複雑になるのが一般的で、結果的に製品コストを低く抑えることが困難になるという問題があった。
【０００８】
本発明は、このような実情に鑑み、金型構造が簡単でコスト的にも安価に製造することができ、また、側壁面が平坦に形成され、ここに文字等の印刷を容易に行なうことができ、さらには大小２数種のペットボトルに兼用して使用することができるペットボトルのディスプレイ用トレイを提供することを目的としている。
【０００９】
【課題を解決するための手段】
上記目的を達成するための本発明に係るペットボトルのディスプレイ用トレイは、複数本の大型のペットボトル、またはこれより小さい小型の複数本のペットボトルのいずれかを用意し、これらいずれかのペットボトルを略矩形状に形成されたトレイ上面に、互いに側面同士を接触させるように縦横複数列に立て並べ、前記小型のペットボトルを立て並べる場合は、前記大型のペットボトルを立て並べる場合に比べて縦横に多い本数を並べることができ、この立て並べられたペットボトルの頂部に他のトレイを載置して、さらにペットボトルを立て並べることができるように形成したペットボトルのディスプレイ用トレイ
であって、
前記トレイ上面は、大型のペットボトルと小型のペットボトルとの２種類のペットボトルを縦横に複数列立て並べることができる割合で縦横の寸法が設定されているとともに、トレイ上面の全範囲が略平坦に形成されており、さらに、その周囲にペットボトルの移動を規制する背の低い側壁が立設されており、
一方、前記大型のペットボトルまたは前記小型のペットボトルの頂部が当接されるトレイ下面には、前記大型のペットボトルの頂部が嵌合される環状筒部と、前記小型のペットボトルの頂部が嵌合される環状筒部とが、それぞれ対応する所定位置に形成されており、
さらにトレイ下面には、下向き鍔が立設されており、
前記２種類の環状筒部は、略格子状に配置された補強リブのいずれかの部分に接続され、かつこれらの環状筒部は、前記下向き鍔と補強リブにより接続されない状態で配置されていることを特徴としている。
【００１０】
係る構成による本発明によれば、文字等を印刷すべきトレイの側壁面を可及的に平坦に形成することができる。さらに、トレイ上面も平坦に形成されることから洗浄性が良好で、金型構造が簡易であり、これにより製造コストを安価に抑えることができる。
ここで、前記トレイ上面の短辺側の一対の側壁には、前記大型のペットボトルが並べられた場合の位置規制を行なう突起が、所定間隔離間して互いに対向するように形成されていることが好ましい。
【００１１】
このような構成であれば、大型のペットボトルを載置する場合の位置決めが容易であるとともに、位置きめの際の目印ともなるので、トレイに対し作業者がペットボトルをどの向きで載置したら良いか、迷うこともない。
さらに、前記格子状に形成された補強リブの交点は、中央に丸い隙間を介在させてロータリー状に形成されていることが好ましい。
【００１２】
このような構成であれば、射出成形するときに補強リブを形成するための樹脂が途中で停滞してしまうようなこともない。
また、前記環状筒部は、前記ペットボトルの頂部が差し込まれる開口端面がテーパ状に拡開して形成されていることが好ましい。
このような構成であれば、ペットボトルの頂部すなわち口部をトレイ下面の環状筒部内に差し込み易くすることができる。
【００１３】
また、前記環状筒部の内方には、寄せリブが設けられており、この寄せリブが形成されることにより、前記ペットボトルの頂部が位置決めされることが好ましい。
このような構成により、口部に嵌合されたキャップの天面などがこすれて、傷がついてしまうことを防止することができる。
【００１４】
【発明の実施の形態】
以下、図面を参照しながら本発明の実施例について説明する。
図１は本発明の一実施例によるペットボトルのディスプレイ用トレイを上面側から見た斜視図であり、図２は下面側から見た斜視図である。
このディスプレイ用トレイ３０は、トレイ本体３２が矩形平板状に形成されている。そして、この本体３２の上面３８には、図３（Ａ）、（Ｂ）に示したように、底面が略八角形の２リットル入りの大型のペットボトル３４と、０．９リットル入りの小型のペットボトル３６との２種類のペットボトルが、どりらも縦横に複数列、立て並べることが可能にされている。すなわち、２リットル入りのペットボトル３４の場合は２×３列に、０．９リットル入りのペットボトル３６の場合は、３×４列にそれぞれ立て並べることが可能にされている。
【００１５】
なお、２リットル入りのペットボトルは、底面の縦横の寸法が１０６ｍｍ×８９ｍｍの長方形であり、同様に、０．９リットル入りのペットボトルは、縦横の寸法が７１ｍｍ×７１ｍｍの正方形である。
図１に示したように、トレイ本体３２の上面３８は、全体が略平坦に形成されている。また、上面３８の周囲４端面には、それぞれ背の低い側壁４０，４２，４４，４６が立設されている。また、図１および図４に示したように、これら側壁４０，４２，４４，４６の下端部から若干外方に広がるように、下向き鍔６２，６４，６６，６８がそれぞれ形成されている。そして、上記の四つの側壁４０，４２，４４，４６のうち、短辺側の一対の側壁４０，４２には、互いに対向する位置に、２つの突起４５，４８および突起４５，４８がそれぞれ形成されている。これら互いに対向する２組の突起４５，４８は、図３（Ａ）に示したように、２リットル入りの大型で略長方形のペットボトル３４を収容する場合に、左右両側のデッドスペースを無くすことができる。一方、０．９リットル入りの小型で略正方形のペットボトル３６を収容する場合は、図３（Ｂ）に示したように、これらの突起４５，４８があることにより、収容の邪魔になることはない。すなわち、小型のペットボトル３６を収容する場合は、ペットボトル３６の角部を押える作用を有している。
【００１６】
一方、図１に示したトレイ３０を１８０°反転したトレイ本体３２の裏側では、その下面５０に、０．９リットル用のペットボトル３６の口部が差し込まれる環状筒部５２と、２リットル用のペットボトル３４の口部が差し込まれる環状筒部５４とが、それぞれ設けられている。環状筒部５４の形成位置は、図３（Ａ）の中心Ｏの裏に位置し、同じく、環状筒部５２の形成位置は、図３（Ｂ）の中心Ｐの裏に位置している。
【００１７】
このように２つのペットボトル３４，３６の口部を挿入する環状筒部５２，５４をトレイ本体３２の下面５０にそれぞれ形成すると、図２に示したようになる。すなわち、四隅のコーナ部Ｒに最も近い付近では、１つの環状筒部５２と１つの環状筒部５４とが極めて接近して配置される。ここで、本実施例では、これらの環状筒部５２，５４は、それぞれの外側の輪郭線を残すとともに互いにラップし合う内側の輪郭線は、切除した形に形成されている。換言すれば、２つの丸い筒部を合致させて１つの長孔状に形成している。
【００１８】
一方、図２に示したように、センターを通るＸ−Ｘ線上に配置される環状筒部５４は、Ｘ−Ｘ線を挟んでその両側に環状筒部５２，５２が配置され、これらは極めて接近して配置されている。
さらに、センターを通るＹ−Ｙ線上に配置される４つの環状筒部５２は、それぞれ単独で形成されている。
【００１９】
また、環状筒部５２，５４は、格子状に配置される補強用リブ６０を介して集合体同士が互いに連結されている。
このような補強用リブ６０が設けられることにより、環状筒部５２，５４の集合体（計１８個）が１つの島のように周囲から離反して配置されている。すなわち、このような環状筒部５２，５４の集合体は、トレイの下面５０から立設された周囲の下向き鍔６２，６４，６６，６８といずれの部分でも離反しており、どこにも接続されていない。
【００２０】
さらに、これらの環状筒部５２および環状筒部５４の開口端面は、図５に示したように、それぞれテーパ面７０で形成されている。したがって、ペットボトルの口部７４を案内しやすくなっている。また、これらの環状筒部５２、５４の内面には、寄せリブ７２が形成され、これらの寄せリブ７２により、ペットボトル３４、３６の口部７４が差し込まれた場合に、口部７４すなわちキャップ７４の天面が直接、トレイ下面５０に接触しないように構成されている。したがって、ペットボトル３６、３４の口部７４（キャップ７４）の天面に傷がつくことが防止されている。
【００２１】
さらに、本実施例では、図２に示したように、格子状の補強リブ６０の交点８０は、ロータリー状に形成され、その中央に丸い隙間Ｓが確保されている。したがって、このようなリブ６０の交点８０は、射出成形したときに、樹脂の流れが交点８０の四方に分かれるとしても、樹脂が流れ易くなる。したがって、湯留まりなどが生じることが防止されている。
【００２２】
なお、本実施例では、他の部分でも樹脂が流れ易くするために、トレイ本体３２のコーナ部Ｒの肉厚を、側壁４０，４２，４４，４６などの直線部分よりも若干厚くなるように設定している。これにより、湾曲したコーナ部Ｒに樹脂が流れるとしても、樹脂の流れが低下することが防止されている。
以上、本実施例のディスプレイ用トレイ３０は、上記のように構成されているが、このトレイ３０は、略正方形の２リットル入りのペットボトルまたは略長方形の０．９リットル入りのペットボトルのいずれをも収容することができる。
【００２３】
その場合、先ず、２リットル入りのペットボトル３４または０．９リットル入りのペットボトル３６を図３（Ａ），（Ｂ）に示したように載置する。このように、６本または１２本のペットボトル３４，３６を並べたら、これらペットボトル３４または３６の頂部を覆うように、さらにもう一つのディスプレイ用トレイ３０を図５のように載置すれば良い。このようなトレイ３０では、多段に積載するとしても、商品を購買者が確認することができ、また、多数の商品を崩すことなく、多段に積載することが可能になる。
【００２４】
以上、本発明の一実施例について説明したが、本発明は上記実施例に何ら限定されない。
例えば、上記実施例では、リブ６０の交点８０をロータリー状に形成しているが、この部分を単に直線状に形成することもできる。また、補強用リブ６０は、どのように配置されていても良く、例えば、ひし型に位置されていても良い。
【００２５】
また、このようなディスプレイ用トレイは、射出成形可能な樹脂により好ましく形成することができるが、特に、収縮率の大きい、ポリエチレンテレフタレート樹脂の再生品を利用して射出成形したとしても、引けの少ない製品を提供することができる。
また、本実施例のように大きさも形状も異なる２種類のペットボトルを兼用して収容することができるトレイの場合は、それぞれのペットボトルをトレイ上面３８にどのように配置して良いかがわかるように、それぞれの位置にシボ加工などを設けることもできる。
【００２６】
【発明の効果】
以上説明したように、本発明に係るディスプレイ用トレイによれば、２種類のペットボトルを陳列可能に収容することができる。また、ディスプレイ用トレイの金型形状が複雑にならないことから、製品コストを安価にすることができる。
また、ペットボトルの口部をトレイの下面に挿入し易くなる。
【００２７】
さらに、環状筒部間の補強リブが側壁に接続されないことから、印刷する面をより平坦に形成することができ、したがって、表示したい情報を良好に印刷し、表示することができる。
【図面の簡単な説明】
【図１】図１は本発明の一実施例によるディスプレイ用トレイを上側から見た斜視図である。
【図２】図２は図１に示したディスプレイ用トレイを下側から見た斜視図である。
【図３】図３（Ａ）は図１のディスプレイ用トレイに大型のペットボトルを載せたときの配置を説明する図で、図３（Ｂ）は図１のディスプレイ用トレイに小型のペットボトルを載せたときの配置を説明する図である。
【図４】図４は図１のＡ−Ａ線方向の断面図で、左半分を正面図で、右半分を断面で示した図である。
【図５】図５はペットボトルの頂部にトレイの下面を載置したときの断面図である。
【図６】図６は従来のディスプレイ用トレイの半断面図である。
【符号の説明】
３０                        ディスプレイ用トレイ
３２                        トレイ本体
３４，３６                  ペットボトル
３８                        トレイ上面
４０，４２，４４，４６      側壁
４５，４８                  突起
５０                        下面
５２，５４                  環状筒部
６０                        補強リブ
６２，６４，６６，６８      鍔
７０                        テーパ面
７２                        寄せリブ
７４                        口部（キャップ）
８０                        交点
Ｓ                          隙間
【図１】
0003862554.tif 000002
【図２】
0003862554.tif 000003
【図３】
0003862554.tif 000004
【図４】
0003862554.tif 000005
【図５】
0003862554.tif 000006
【図６】
0003862554.tif 000007